(57)【特許請求の範囲】
【請求項１】
着用時に外側となる外面および着用時に人体側となる内面を備えた着用具であって、
空気が流通する通気性部材から構成される共に、外面には冷却材を保持する保持部が設けられており、
前記通気性部材は、複数の通気性ピースが縦方向および横方向に所定間隔あけて連結されて成るスペーサを有し、
前記通気性ピースには空気が流通する開口部が設けられている、
ことを特徴とする着用具。
【請求項２】
前記通気性ピースは、
壁部と、
空気が流通する開口部を有し、前記壁部と所定間隔あけて設けられた枠体部と、
互いに間隔をあけて設けられ、前記壁部と前記枠体部とを連結する複数の柱状部と、
を備え、
隣接する前記柱状部間には空気が流通する開口部が形成されており、
隣接する前記通気性ピース同士は、前記枠体部間に設けられた連結部により連結され、隣接する前記通気性ピース間には、空気が流通する空間が形成されており、
前記スペーサは、前記壁部または前記枠体部が人体に対向するよう配置される、
ことを特徴とする請求項１に記載の着用具。
【請求項３】
前記スペーサの厚みは、３ｍｍ〜１５ｍｍである、
ことを特徴とする請求項１または２に記載の着用具。
【請求項４】
前記通気性部材は、前記スペーサの外側を覆う通気性シートをさらに有する、
ことを特徴とする請求項１から３のいずれか１項に記載の着用具。
【請求項５】
前記通気性部材は、前記スペーサの内側を覆う通気性シートをさらに有する、
ことを特徴とする請求項１から４のいずれか１項に記載の着用具。
【請求項６】
前記保持部は、冷却材を着脱可能に保持するよう構成されている、
ことを特徴とする請求項１から５のいずれか１項に記載の着用具。
【請求項７】
前記保持部は、冷却材の落下を防止する落下防止機構を有している、
ことを特徴とする請求項１から６のいずれか１項に記載の着用具。
【請求項８】
前記保持部に冷却材が保持されている、
ことを特徴とする請求項１から７のいずれか１項に記載の着用具。
【請求項９】
前記着用具は、空気取込口と、送風装置と、前記送風装置を駆動させる駆動装置と、を備えた衣服内に着用される、
ことを特徴とする請求項１から８のいずれか１項に記載の着用具。
【発明の詳細な説明】
【技術分野】
【０００１】
本発明は、人体に着用する着用具に関する。
【背景技術】
【０００２】
従来、冷却材を保持する保持部を備えた着用具が知られている。このような着用具は例えば特許文献１に開示されている。特許文献１には、右前身頃（３）と左前身頃（４）と後身頃（５）からなるベスト本体の右前身頃（３）と左前身頃（４）の開口にファスナー（６）を設け、外胸ポケット（７）を右前身頃（３）と左前身頃（４）の胸部付近の外側に、外胸下ポケット（８）を外胸ポケット（７）下方の右前身頃（３）と左前身頃（４）の外側に、内胸ポケット（９）を右前身頃（３）と左前身頃（４）の胸部付近の内側にそれぞれ設けたベスト（１）に於いて、保温性を有する生地からなる背内ポケット（１０）を後身頃（５）の背中の内側に開口部（１０ａ）を上方にして設けるとともに、保温性を有する生地からなる腰内ポケット（１２）を背内ポケット（１０）の下方の後身頃（５）腰付近の内側に開口部（１０ａ）を上方にして設けたベスト（１）が開示されている。特許文献１に開示されているベスト（１）は、背内ポケット（１０）と腰内ポケット（１２）内にそれぞれ市販の板状の保冷剤を入れて着用される（特許文献１の請求項１、段落［０００９］、段落［００１１］および図１など）。
【先行技術文献】
【特許文献】
【０００３】
【特許文献１】実用新案登録第３１１６６３３号公報
【発明の概要】
【発明が解決しようとする課題】
【０００４】
上記特許文献１のベストでは、着用者の体のうち、保冷剤が入れられたポケット付近のみが局所的に冷却されるものである。そのため、着用者の体を広い範囲にわたって冷却することができないという問題があると共に、保冷剤を入れたポケット付近が冷えすぎるという問題がある。
【０００５】
本発明の目的は、着用者の体に対し、冷却材による局所的な冷却を防止すると共にできる限り広範囲を冷却可能にする着用具を提供することを目的とする。
【課題を解決するための手段】
【０００６】
本発明は、外面および着用時に人体側となる内面を備えた着用具に関する。当該着用具は、空気が流通する通気性部材から構成される共に、外面には冷却材を保持する保持部が設けられていることを特徴としている。
【０００７】
上記特徴により、人体と冷却材との間に空気が流通する通気性部材が存在することにより人体と冷却材とが離間され、これによって人体が局所的に冷却されることを防止することができる。さらに、人体と冷却材との間に空気の流通路が形成されるため、着用具の保持部に冷却材が保持されている場合、通気性部材内を流通する空気が冷却材によって冷却され、その冷却された空気が流通することにより、人体の広い範囲を冷却することが可能となる。
【０００８】
本発明の着用具において、通気性部材は、少なくとも人体側に対して開口する開口部を有していることが好ましい。
【０００９】
上記特徴により、通気性部材内を流通する空気が開口部から人体に向けて流れる。これにより、人体に気流が当たって人体を効果的に冷却することが可能となる。
【００１０】
本発明の着用具において、保持部は、冷却材を着脱可能に保持するよう構成されていることが好ましい。
【００１１】
上記特徴により、冷却材を取り替える際など、冷却材を容易に交換することができる。
【００１２】
本発明の着用具において、保持部は、冷却材の落下を防止する落下防止機構を有していることが好ましい。
【００１３】
上記特徴により、冷却材の落下を防止することができる。
【００１４】
本発明の着用具において、保持部に冷却材が保持されていることが好ましい。
【００１５】
上記特徴により、通気性部材内を流通する空気が冷却材によって冷却され、その冷却された空気が流通することにより、人体の広い範囲を冷却することが可能となる。
【発明の効果】
【００１６】
本発明により、着用者の体に対し、冷却材による局所的な冷却を防止すると共にできる限り広範囲を冷却可能にする着用具を提供することができる。
【図面の簡単な説明】
【００１７】
【図１】（ａ）はベストの正面（前側）の外面を表す概略図であり、（ｂ）はベストの背面（後側）の外面を表す概略図である。
【図２】（ａ）はスペーサの平面図であり、（ｂ）はスペーサの正面図であり、（ｃ）は（ａ）のＩＩｃ部分拡大斜視図である。
【図３】下着を着用した人体の上からベストを着用した状態を表す概略断面図である。
【図４】（ａ）はベストの外面を通気性シートで覆った状態を表す概略図（正面）であり、（ｂ）はベストの外面を通気性シートで覆った状態を表す概略図（背面）であり、（ｃ）はベストの外面を通気性シートで覆った状態を表す概略断面図である。
【図５】（ａ）は装着具を備えたベストの正面を表す概略図であり、（ｂ）は装着具を備えたベストの側面を表す概略図であり、（ｃ）は装着具の使用状態を表す図であり、ベストの正面を表す概略図である。
【図６】（ａ）〜（ｄ）は通気性部材の他実施形態であるメッシュ部材を表す図であり、（ａ）はメッシュ部材の平面図、（ｂ）はメッシュ部材の正面図、（ｃ）は（ａ）のＶＩｃ−ＶＩｃ矢視断面図、（ｄ）は（ａ）のＶＩｄ部分拡大斜視図である。
【図７】（ａ）は衣服の一例を表す概略図であり、（ｂ）はベストの上から（ａ）に示す衣服を着用した状態を表す概略断面図である。
【図８】（ａ）は脚部用着用具の外面を表す概略図であり、（ｂ）は脚部用着用具の内面を表す概略図であり、（ｃ）は脚部用着用具を着用した状態を表す概略図である。
【発明を実施するための形態】
【００１８】
本発明について図面を参照しながら説明する。なお、以下で説明する実施形態は、いずれも本発明の好ましい一具体例を示すものである。本発明は、以下の実施形態に限定されず、その主旨を逸脱しない範囲で適宜変更可能である。
【００１９】
以下では、着用具の一例としてベストを例に挙げ説明する。図１（ａ）はベストの正面（前側）の外面を表す概略図であり、図１（ｂ）はベストの背面（後側）の外面を表す概略図である。
【００２０】
ベスト１は、前身頃２と後身頃３とを備えている。前身頃２および後身頃３は、外面と着用時に人体側となる内面とをそれぞれ有している。前身頃２および後身頃３はスペーサ１０（通気性部材の一例）から構成されている。前身頃２および後身頃３の外面には、冷却材４を保持するための保持部５が設けられている。
【００２１】
本実施形態において保持部５はポケット５Ａからなり、ポケット５Ａが前身頃２および後身頃３の外面にそれぞれ設けられている。そして、ポケット５Ａ内には冷却材４が保持されている。これにより、冷却材４はベスト１に着脱可能となると共に、ベスト１から落下しないようになっている。なお、ポケット５Ａは通気性の材料で作製されることが好ましく、例えばメッシュシートなどの通気性シートまたはスペーサ１０によって作製されることが好ましいが、非通気性の材料から作製されていてもよい。また、冷却材４としては不凍ゲル製の冷却材や水分を含ませた布などが使用できるがこれに限定されない。
【００２２】
なお、本明細書において「人体」とは、裸体の状態だけでなく、衣服を着用している状態も含む。したがって、例えば「人体に着用する」とは、裸体に着用するという場合に限らず、衣服を着た状態でその衣服の上から着用する場合も含まれる。
【００２３】
図２（ａ）〜（ｃ）はスペーサ１０を表す図である。図２（ａ）はスペーサ１０の平面図、図２（ｂ）はスペーサ１０の正面図、図２（ｃ）は（ａ）のＩＩｃ部分拡大斜視図である。図２に示すスペーサ１０は、複数の通気性ピース１１を連結させることにより構成されている。通気性ピース１１は、壁部１２、壁部１２と所定間隔Ｌ１あけて設けられた枠体部１３、および、壁部１２と枠体部１３とを連結する複数の柱状部１４を備えている。複数の柱状部１４は互いに所定間隔あけて設けられている。通気性ピース１１の枠体部１３には開口部１５が形成されており、複数の柱状部１４間には開口部１５と連通する開口部１６が形成されている。そして、スペーサ１０は、複数の通気性ピース１１を所定間隔あけて縦および横に複数配列すると共に、隣接する通気性ピース１１の枠体部１３間を連結部１７によって連結することにより構成されている。開口部１６は、複数の連結部１７および隣接する通気性ピース１１の枠体部１３によって囲まれる開口部１８、並びに、所定間隔あけて隣接して配置されている通気性ピース１１の柱状部１４間の空間１９と連通している。これらの開口部１５、開口部１６、開口部１８および空間１９は空気が流れる流通路を成している。なお、必要に応じて壁部１２にも開口部を設けるようにしてもよい。
【００２４】
壁部１２と枠体部１３との間隔Ｌ１、すなわちスペーサ１０の厚みＬ１は、冷却材４を人体から離間させることにより冷却材４による人体の局所的な冷却を防止すると共にスペーサ１０内を空気が流通可能である程度の大きさであればよく、間隔Ｌ１は一例として約３ｍｍ〜約１５ｍｍである。
【００２５】
図３は下着Ｕを着用した人体Ｂの上からベスト１を着用した状態を表す概略断面図である。図３では、空気の流れを矢印で模式的に表している。ベスト１は、スペーサ１０の壁部１２が前身頃２および後身頃３の外面を構成し、枠体部１３が人体Ｂ側となるよう構成されている。そして、開口部１５および開口部１８が人体Ｂ側に対して開口する開口部となる。スペーサ１０によって冷却材４と人体Ｂとが離間されると共に、冷却材４と人体Ｂとの間には空気の流通路が形成される。空気が、通気性ピース１１の開口部１５、開口部１６、開口部１８および／または空間１９からスペーサ１０内に流入する。スペーサ１０内に流入した空気はベスト１に保持されている冷却材４によって冷却される。その際、冷却された空気の一部は、開口部１５や開口部１８を通って人体Ｂ側に流れる。そしてスペーサ内の空気は、開口部１５、開口部１６、開口部１８および／または空間１９からスペーサ１０外へ排出される。このように本発明の着用具では、冷却材４によって局所的に人体Ｂを冷却するのではなく、冷却材４によって冷却された空気によって人体Ｂを広い範囲にわたって冷却することができる。なお、ベスト１は、スペーサ１０の壁部１２が人体Ｂ側となるよう構成されていてもよい。
【００２６】
図４（ａ）はベスト１の外面を通気性シートで覆った状態を表す概略図（正面）である。図４（ｂ）はベスト１の外面を通気性シートで覆った状態を表す概略図（背面）である。図４（ｃ）はベスト１の外面を通気性シートで覆った状態を表す概略断面図である。通気性部材は、通気性シート２０によって覆われたスペーサ１０を使用してもよい。すなわち、スペーサ１０は、スペーサ１０によってベスト１を作製した際に、ベスト１の外面となる面およびベスト１の内面となる面の少なくとも一方、好適には両方を通気性シート２０によって覆われていてもよい。本実施形態では、スペーサ１０の壁部１２が前身頃２および後身頃３の外面となり、スペーサ１０の枠体部１３が人体側となるため、スペーサ１０の壁部１２側（外面側）および／またはスペーサ１０の枠体部１３側（内面側）を通気性シート２０によって覆うようにする。スペーサ１０の壁部１２側（外面側）が通気性シート２０によって覆われている場合、図４（ｃ）に示すように、ポケット５Ａ（保持部５）は通気性シート２０の外面２０ａに設けられる。本実施形態では、通気性シート２０は、マジックテープ（登録商標）のような面ファスナーやスナップボタンなどによって、スペーサ１０に着脱可能に取り付けられていることが好ましい。通気性シート２０としてはメッシュシートなどが挙げられるがこれに限定されない。
【００２７】
スペーサ１０の外面を通気性シート２０で覆うことにより、スペーサ１０の破損や汚れを防止することができる。また、ベスト１の上から衣服を着用した場合、衣服のすべりがよくなる。さらに、スペーサ１０の内面を通気性シート２０によって覆うことにより、ベスト１を着用した際に、スペーサ１０が人体に接触することによる不快感を防止することができると共に、スペーサ１０の破損や汚れを防止することができる。
【００２８】
なお、スペーサ１０を、通気性シート２０によって形成された袋内に収容し、これによりスペーサ１０の外面および内面を通気性シート２０によって覆うようにしてもよい。また、この袋には開閉可能な開口を設け、スペーサ１０を出し入れ可能にするよう構成されていてもよい。袋の開口にジッパーのようなスライドファスナーやマジックテープ（登録商標）のような面ファスナーなどを取り付け、袋の開口を開閉可能とすることができる。
【００２９】
ベスト１は、ベスト１を人体に装着するための装着具３０を備えていてもよい。さらに、装着具３０は、ベスト１と人体との密着度合い調節するための調節機構を有していてもよい。図５（ａ）〜（ｃ）では、前身頃２と後身頃３とが脇下において接続されていないベスト１Ａを例として装着具３０の構成を説明する。図５（ａ）は装着具３０を備えたベスト１Ａの正面を表す概略図である。図５（ｂ）はベスト１Ａの側面を表す概略図である。図５（ｃ）は装着具３０の使用状態を表す図であり、ベスト１Ａの正面を表す概略図である。なお、ベスト１と同一の部材については同一の符号を使用し、その説明を省略する。
【００３０】
図５（ａ）および（ｂ）に示すように、装着具３０は、前身頃２に取り付けられたマジックテープ（登録商標）などの面ファスナー３１と、後身頃３に取り付けられ、面ファスナー３２（図５（ｂ）において破線にて図示）を備えたベルト３３とから構成されている。前身頃２の面ファスナー３１および後身頃３のベルト３３は、スペーサ１０に取り付けられるか、または、スペーサ１０の外面が通気性シート２０によって覆われている場合には通気性シート２０に取り付けられていてもよい。図５（ｃ）に示すように、ベルト３３の面ファスナー３２を前身頃２の面ファスナー３１に取り付けることにより、ベスト１は人体に装着される。さらに、前身頃２の面ファスナー３１に対するベルト３３の面ファスナー３２の取付位置を調節することにより、ベスト１と人体との密着度合いを調節することができる。
【００３１】
装着具３０の他実施形態は、前身頃２に取り付けられたベルトと、後身頃３に取り付けられ、バックルを備えたベルトとから構成されている。前身頃２に取り付けられたベルトを後身頃３のベルトに取り付けられたバックルに接続することにより、ベスト１は人体に装着される。さらに、後身頃３のベルトに取り付けられたバックルによって前身頃２および後身頃３のベルトの長さを調節することにより、ベスト１と人体との密着度合いを調節することができる。また、装着具３０の他実施形態は、前身頃２および後身頃３にそれぞれ取り付けられたベルトから構成されている。着用者がこれらのベルトを結ぶことにより、ベスト１は人体に装着される。さらに、着用者がこれらのベルトを結んで長さを調節することによりベスト１と人体との密着度合いを調節することができる。
【００３２】
＜保持部の他実施形態＞
保持部５は例えばマジックテープ（登録商標）のような面ファスナーやスナップボタンなどであってもよい。この場合、スペーサ１０の外面や通気性シート２０の外面２０ａに面ファスナーやスナップボタンが取り付けられると共に、冷却材４にも面ファスナーやスナップボタンが取り付けられる。これにより、冷却材４はベスト１に着脱可能に保持される。
【００３３】
＜通気性部材の他実施形態＞
図６（ａ）〜（ｄ）は通気性部材の他例であるメッシュ部材４０を示す図である。図６（ａ）はメッシュ部材４０の平面図、図６（ｂ）はメッシュ部材４０の正面図、図６（ｃ）は（ａ）のＶＩｃ−ＶＩｃ矢視断面図、図６（ｄ）は（ａ）のＶＩｄ部分拡大斜視図である。
【００３４】
通気性部材は、図６に示す、所定の厚みＬ２を有するメッシュ部材４０により構成されていてもよい。メッシュ部材４０には、その表面４１（４１ａ、４１ｂ）に複数の開口部４２が設けられていると共に、端面４３にも開口部４４が設けられている。さらに、メッシュ部材４０の内部にも複数の開口部４５が設けられており、開口部４２、開口部４４および開口部４５は互いに連通している。そして、開口部４２、開口部４４および開口部４５は空気の流通路を成している。メッシュ部材４０は一方の表面４１ａがベスト１（着用具）の外面となり、他方の表面４１ｂが内面となるよう構成される。
【００３５】
メッシュ部材４０に設けられた開口部４２、開口部４４および開口部４５の大きさは、メッシュ部材４０内を空気が流通可能である程度の大きさであればよい。また、メッシュ部材４０の厚みＬ２は、冷却材４と人体とを離間させて冷却材４による局所的な冷却を防止すると共にメッシュ部材４０内を空気が流通可能である程度の大きさであればよく、間隔Ｌ２は一例として約３ｍｍ〜約１５ｍｍである。なお、メッシュ部材４０においても、メッシュ部材４０の表面４１ａおよび／または表面４１ｂは通気性シート２０によって覆われていてもよく、また、メッシュ部材４０は通気性シート２０によって形成された袋内に収容されていてもよい。
【００３６】
＜着用具の使用例＞
本発明の着用具は衣服内に着用されて使用されることが好ましい。図７（ａ）は衣服の一例である衣服１００の内面を表す概略図である。衣服１００は、空気取込口１０１と、空気取込口１０１に取り付けられ、空気取込口１０１から空気を取り込み、空気を流通させる送風装置１０２と、送風装置１０２を駆動させる駆動装置（不図示）とを備えている。本発明のベスト１は、衣服１００内に着用され使用されることが好適である。送風装置１０２としては例えばファンが使用され、駆動装置としては例えばファンを回転させるモータと、モータを駆動させる携帯型バッテリとが使用される。
【００３７】
図７（ｂ）は下着Ｕを着用した人体Ｂの上からベスト１を着用し、さらにベスト１の上から図７（ａ）に示す衣服１００を着用した状態を表す概略断面図である。図７（ｂ）では、空気の流れを矢印で模式的に表している。衣服１００内にベスト１を着用した場合、送風装置１０２を駆動すると強制的に空気取込口１０１から空気が衣服１００内に取り込まれ、その空気がスペーサ１０内を流通する。スペーサ１０内を流通する空気は冷却材４によって冷却され、その冷却された空気は衣服１００内に流通される。これにより、衣服１００内を快適な環境とすることができる。
【００３８】
＜着用具の別実施形態＞
上記では人体の上半身に着用する着用具としてベスト１について説明したが、着用具はベスト１以外の形状や人体の他の部位に着用可能なように構成されていてもよい。着用具の他実施形態として、人体の脚部に着用する脚部用着用具２００について説明する。図８（ａ）は脚部用着用具２００の外面を表す概略図であり、図８（ｂ）は脚部用着用具２００の内面を表す概略図であり、図８（ｃ）は脚部用着用具２００を着用した状態を表す概略図である。なお、上記実施形態と同一の部材については同一の符号を使用し、その説明を省略する。上記実施形態で説明した特徴は、脚部用着用具２００に対しても適宜利用可能である。
【００３９】
図８（ａ）および（ｂ）に示すように、脚部用着用具２００は、略長方形に形成されたスペーサ１０から構成されると共に、外面と着用時に人体側となる内面とを有している。脚部用着用具２００の外面には、保持部５としてポケット５Ａが設けられており、ポケット５Ａ内には、冷却材４が保持されている。脚部用着用具２００は、装着具３０として、脚部用着用具２００の一端部の外面に設けられた面ファスナー２０１と脚部用着用具２００の他端部の内面に設けられた面ファスナー２０２とを備えている。
【００４０】
図８（ｃ）に示すように、脚部用着用具２００は脚部Ｆに巻き付けるようにして使用される。このとき脚部用着用具２００の内面の面ファスナー２０２を外面の面ファスナー２０１に取り付けることにより、脚部用着用具２００は脚部に装着される。
【００４１】
なお、本発明の着用具は、ベスト１、ベスト１Ａおよび脚部用着用具２００に限定されず、腕、首、胸部または腹部といった体の各部位にそれぞれ取り付けることができる着用具にも適用可能である。その際、上記実施形態で説明した各部材は、着用具を取り付ける体の部位に合わせ適宜その構成を変更して利用可能である。
【符号の説明】
【００４２】
１            ベスト（着用具）
１Ａ          ベスト（着用具）
２            前身頃
３            後身頃
４            冷却材
５            保持部
５Ａ          ポケット
１０          スペーサ（通気性部材）
１１          通気性ピース
１２          壁部
１３          枠体部
１４          柱状部
１５          開口部
１６          開口部
１７          連結部
１８          開口部
１９          空間
２０          通気性シート
３０          装着具
４０          メッシュ部材（通気性部材）
４２          開口部
４４          開口部
４５          開口部
１００        衣服
２００        脚部用着用具（着用具）
【図１】
0005903174.tif 000002
【図２】
0005903174.tif 000003
【図３】
0005903174.tif 000004
【図４】
0005903174.tif 000005
【図５】
0005903174.tif 000006
【図６】
0005903174.tif 000007
【図７】
0005903174.tif 000008
【図８】
0005903174.tif 000009